(57)【要約】【課題】電子ペンから発光する光を、精度の高い座標検出を行うことが可能な光強度に調整する座標検出装置を提供する。【解決手段】本発明の実施の形態の座標検出装置は、盤面に対して指示動作を行う指示部により発光された光信号に基づいて、指示部によって指示された座標を検出する座標検出装置であって、光信号が入力される複数の光信号入力手段と、光信号入力手段によって入力された光信号から所定の光信号を抽出する抽出手段と、抽出手段によって抽出された所定の光信号に基づいて、所定の光信号の光強度を測定する測定手段と、測定手段によって測定された所定の光信号の光強度に基づいて、指示部により発光される光信号の光強度の制御を行う制御手段と、を有することにより上記課題を解決する。【選択図】図１
2015133061.tif 000002
【特許請求の範囲】
【請求項１】
盤面に対して指示動作を行う指示部により発光された光信号に基づいて、前記指示部によって指示された座標を検出する座標検出システムであって、
前記光信号が入力される複数の光信号入力手段と、
前記光信号入力手段によって入力された光信号から所定の光信号を抽出する抽出手段と、
前記抽出手段によって抽出された前記所定の光信号に基づいて、前記所定の光信号の光強度を測定する測定手段と、
前記測定手段によって測定された前記所定の光信号の光強度に基づいて、前記指示部により発光される光信号の光強度の制御を行う制御手段と、を有する座標検出システム。
【請求項２】
前記光信号は、周波数分割に基づき多重化される、請求項１に記載の座標検出システム。
【請求項３】
前記光信号は、時分割に基づき多重化される、請求項１に記載の座標検出システム。
【請求項４】
前記指示部は、１つの紫外ＬＥＤと複数の蛍光体とを組み合わせて、白色光を生成する、請求項１又は請求項２のいずれか一項に記載の座標検出システム。
【請求項５】
前記指示部は、赤色ＬＥＤと、緑色ＬＥＤと、青色ＬＥＤとを組み合わせて、白色光を生成する、請求項１又は請求項２のいずれか一項に記載の座標検出システム。
【請求項６】
前記光信号の波形パターンは、領域認識用パターンと、座標検知用パターンとを含む、請求項３に記載の座標検出システム。
【請求項７】
前記領域認識用パターンは、予め設定される、請求項６に記載の座標検出システム。
【請求項８】
盤面に対して指示動作を行う指示部により発光された光信号に基づいて、前記指示部によって指示された座標を検出する座標検出装置であって、
前記光信号が入力される複数の光信号入力手段と、
前記光信号入力手段によって入力された光信号から所定の光信号を抽出する抽出手段と、
前記抽出手段によって抽出された前記所定の光信号に基づいて、前記所定の光信号の光強度を測定する測定手段と、
前記測定手段によって測定された前記所定の光信号の光強度に基づいて、前記指示部により発光される光信号の光強度の制御を行う制御手段と、を有する座標検出装置。
【請求項９】
前記光信号は、周波数分割に基づき多重化される、請求項８に記載の座標検出装置。
【請求項１０】
前記光信号は、時分割に基づき多重化される、請求項８に記載の座標検出装置。
【請求項１１】
前記指示部は、１つの紫外ＬＥＤと複数の蛍光体とを組み合わせて、白色光を生成する、請求項８又は請求項９のいずれか一項に記載の座標検出装置。
【請求項１２】
前記指示部は、赤色ＬＥＤと、緑色ＬＥＤと、青色ＬＥＤとを組み合わせて、白色光を生成する、請求項８又は請求項９のいずれか一項に記載の座標検出装置。
【請求項１３】
前記光信号の波形パターンは、領域認識用パターンと、座標検知用パターンとを含む、請求項１０に記載の座標検出装置。
【請求項１４】
前記領域認識用パターンは、予め設定される、請求項１３に記載の座標検出装置。
【請求項１５】
盤面に対して指示動作を行う指示部により発光された光信号に基づいて、前記指示部によって指示された座標を検出する座標検出装置における光信号調整方法であって、
複数の光信号入力手段に、前記光信号が入力されるステップと、
前記光信号入力手段によって入力された光信号から所定の光信号を抽出するステップと、
抽出された前記所定の光信号に基づいて、前記所定の光信号の光強度を測定するステップと、
測定された前記所定の光信号の光強度に基づいて、前記指示部により発光される光信号の光強度の制御を行うステップと、を有する、光信号調整方法。
【発明の詳細な説明】
【技術分野】
【０００１】
本発明は、座標検出システム、座標検出装置、及び光強度調整方法に関する。
【背景技術】
【０００２】
近年、タッチパネル、液晶一体型タブレット、電子ボード等において、光学式（遮断方式、発光方式等）の座標検出が利用されている。遮断方式では、発光部から発光する光が、座標支持部（電子ペン、手等）で遮断されたことを受光部で検知することにより、座標を検出する。発光方式では、座標支持部に、発光部（ＬＥＤ:Light Emitting Ddiode、再帰反射材等）を取り付け、発光部から発光する光を、受光部で検知することにより、座標を検出する。
【０００３】
発光手段から光が照射される座標検出領域内に、指示手段を挿入し、各撮像素子での結像位置に基づいて、該指示手段の二次元座標位置を検出することで、精密な光軸合わせを不要とする座標検出装置が開示されている（例えば、特許文献１参照）。
【発明の概要】
【発明が解決しようとする課題】
【０００４】
発光方式の座標検出を利用する場合、電子ペン（発光部）と光学センサーとの間の距離に基づいて、発光部の光強度を調整し、精度の高い座標検出を行うことが好ましい。しかしながら、電子ボード上に設けられる全ての光学センサー（４つ以上）に応じて、発光部の光強度を最適化することは、困難である。
【０００５】
本発明は、上記の課題に鑑みてなされたものであり、電子ペンから発光する光を、精度の高い座標検出を行うことが可能な光強度に調整する座標検出装置を提供することを目的とする。
【課題を解決するための手段】
【０００６】
本実施の形態の座標検出装置は、盤面に対して指示動作を行う指示部により発光された光信号に基づいて、指示部によって指示された座標を検出する座標検出装置であって、光信号が入力される複数の光信号入力手段と、光信号入力手段によって入力された光信号から所定の光信号を抽出する抽出手段と、抽出手段によって抽出された所定の光信号に基づいて、所定の光信号の光強度を測定する測定手段と、測定手段によって測定された所定の光信号の光強度に基づいて、指示部により発光される光信号の光強度の制御を行う制御手段と、を有する、ことを要件とする。
【発明の効果】
【０００７】
本発明の実施の形態によれば、電子ペンから発光する光を、精度の高い座標検出を行うことが可能な光強度に調整する座標検出装置を提供することができる。
【図面の簡単な説明】
【０００８】
【図１】本実施形態に係る座標検出装置を例示する図である。
【図２】実施形態１に係る座標検出装置を例示する図である。
【図３】実施形態１に係る座標検出の処理手順を説明する図である。
【図４】ＬＥＤを使用した白色発光を説明する図である。
【図５】実施形態２に係る光信号の波形パタ−ンを例示する図である。
【図６】実施形態２に係る座標検出装置を例示する図である。
【図７】実施形態２に係る座標検出の処理手順を説明する図である。
【図８】実施形態３に係る座標検出システムのシステム構成を例示する図である。
【図９】実施形態４に係るコンピュータのハードウェア構成を例示する図である。
【発明を実施するための形態】
【０００９】
以下、図面及び表を参照して発明を実施するための形態について説明する。各図面において、同一構成部分には同一符号を付し、重複した説明を省略する場合がある。
【００１０】
〈第１の実施の形態〉
図１に、本実施の形態に係る座標検出装置１００の概略構成の一例を示す。座標検出装置１００は、光学式の座標検出装置である。
【００１１】
座標検出装置１００は、電子ボード（盤面）１１０、電子ペン（指示部）１２０、センサー１３０、１４０、１５０、１６０（複数の光信号入力手段）、を含む。
【００１２】
電子ペン１２０は、電子ボード１１０内に存在し、電子ボード１１０対して指示動作を行う。センサー１３０、センサー１４０、センサー１５０、センサー１６０は、座標検出用の光学センサーであり、電子ボード１１０の角部（４箇所）に、設けられる。なお、光学センサーの個数は、特に限定されるものではないが、少なくとも、電子ボード１１０上に、４つ以上設けられることが好ましい。
【００１３】
例えば、図１では、センサー１３０に対応する信号の周波数がＦａ［Ｈｚ］、センサー１４０に対応する信号の周波数がＦｂ［Ｈｚ］、センサー１５０に対応する信号の周波数がＦｃ［Ｈｚ］、センサー１６０に対応する信号の周波数がＦｄ［Ｈｚ］であるとする。各センサーに対応する信号の周波数は、同一であっても、異なっていても良い。
【００１４】
いずれの場合であっても、座標検出装置１００は、各光学センサーから取得する距離情報（電子ペン１２０と各センサーとの間の距離）に基づいて、電子ペン１２０から発光する光を、各光学センサーに応じて最適な光強度に調整することができる。
【００１５】
次に、図２及び図３を用いて、座標検出装置１００における座標検出の方法の一例について、説明する。図３は、図２に示す座標検出装置１００を用いて座標検出を行う場合のフローチャートの一例である。
【００１６】
なお、図３において、スタート直後は、電子ペンは光学センサーからの距離情報を取得することができないため、デフォルトの蛍光体を選択する。又、処理の途中で、電子ペンのスイッチがオフになると、処理は一旦終了する。処理の途中でのスイッチがオフなる場合については、図が煩雑になるため記載を割愛する。
【００１７】
図２に示す座標検出装置１００において、電子ペン１２０は、光強度測定部１２１、蛍光体判定部１２２、蛍光体選択部１２３、蛍光体１２４、紫外ＬＥＤ１２５を含み、各センサーは、分光／反射処理部１７０を含む。
【００１８】
蛍光体選択部１２３と分光／反射処理部１７０との間で、白色光の振幅は減衰する。又、分光／反射処理部１７０と光強度測定部１２１との間で、単色光（４種類）の振幅は減衰する。
【００１９】
光強度測定部１２１は、光フィルター、電圧変換部、強度測定部、等により構成される。光フィルター、電圧変換部、強度測定部は、それぞれ、電子ボード１１０上に設けられるセンサーと、同じ個数設けられる（図２では４個）。電圧変換部としては、例えば、フォトダイオード等を用いることができる。
【００２０】
光強度測定部１２１は、分光／反射処理部（抽出手段）１７０から抽出された単色光（所定の光信号）を、光フィルターに通し、該単色光が、該当する単色光（該当するセンサーに対応する所定の光信号）であるか否かを判定する。
【００２１】
又、光強度測定部１２１は、抽出された単色光が、該当する単色光であると判定する場合、該光を電圧変換部にて、電圧変換する。一方、光強度測定部１２１は、抽出された単色光が、該当する単色光ではないと判定する場合、該光を電圧変換部にて、電圧変換しない。
【００２２】
更に、光強度測定部（測定手段）１２１は、電圧変換された単色光（アナログ電圧値）の強度を、強度測定部にて測定し、光強度信号（デジタル信号）として出力する（図３のＳ２０１参照）。光強度の測定は、電子ペンの内部に備えられる光強度測定部１２１により行われても良いし、電子ペンの外部（座標検出装置の内部）に備えられる不図示の測定手段により行われても良い。
【００２３】
なお、電圧変換された単色光の強度に依存して、該単色光の最大振幅は、変化する。分光／反射処理部１７０と光強度測定部１２１との間の距離に基づいて、単色光の振幅は減衰するため、強度測定部により測定された光強度に対応させて、単色光の振幅が減衰する度合い（程度）を判定することが可能である。
【００２４】
蛍光体判定部１２２は、光強度測定部１２１から入力される複数（４個）の光強度信号から、距離情報（各センサーと電子ペン１２０との間の距離）を取得し、該距離情報に基づいて、どの蛍光体を選択すべきか判定する。又、蛍光体判定部１２２は、判定結果を蛍光体セレクト信号（デジタル信号）として、蛍光体選択部１２３へ出力する（図３のＳ２０２参照）。
【００２５】
蛍光体選択部１２３は、蛍光体判定部１２２から入力される蛍光体セレクト信号と、蛍光体１２４から照射される白色光に基づいて、出力すべき白色光（選択した白色光）を出力し（図３のＳ２０３参照）、出力すべきではない白色光をマスクする。又、蛍光体選択部（制御手段）１２３は、光強度測定部１２１によって測定された所定の光信号の光強度に基づいて、指示部により発光される光信号の光強度の制御を行う。なお、光強度の制御は、電子ペンの内部に備えられる蛍光体選択部１２３により行われても良いし、電子ペンの外部（座標検出装置の内部）に備えられる不図示の制御手段により行われても良い。
【００２６】
蛍光体１２４は、紫外ＬＥＤ１２５から照射される紫外光を、各蛍光体（蛍光体＿α１〜蛍光体＿αＮ）に通し、複数の単色光を多重化した光と同等の光（混合光）を発光する。蛍光体１２４の個数は、特に限定されず、混合光の調整具合、電子ペンの実装都合（面積、コスト、等）等を考慮して、適宜設定すれば良い。
【００２７】
なお、蛍光体＿α１〜蛍光体＿αＮとして、それぞれ素材の異なる蛍光体を使用することにより、各蛍光体から発光する光を、それぞれ異なる光とすることが可能になる。つまり、各蛍光体から発光する光を周波数多重分割すると、赤色、緑色、黄色、青色、等の単色光を得られるが、素材の異なる蛍光体を使用すれば、光強度の異なる複数の光を得られる。
【００２８】
紫外ＬＥＤ１２５は、紫外光を発光し、蛍光体１２４に照射する。紫外ＬＥＤ１２５と蛍光体１２４とを組み合わせることで、白色光を生成することができる。白色光の生成は、紫外ＬＥＤと蛍光体との組み合わせに特に限定されるものではない。例えば、図４（Ａ）に示す様に、青色ＬＥＤと、緑色ＬＥＤと、赤色ＬＥＤとを組み合わせて、各ＬＥＤの強度調整により白色光を生成しても良い。又、例えば、図４（Ｂ）に示す様に、青色ＬＥＤと黄色蛍光体との組み合わせにより白色光を生成しても良い。
【００２９】
なお、紫外ＬＥＤと蛍光体とを組み合わせて、白色光を生成する場合は、図４（Ａ）及び図４（Ｂ）の場合と比較して、構成を簡素化できる、比較的コストを抑えられる、等の利点を有する。
【００３０】
分光／反射処理部１７０は、蛍光体選択部１２３から入力される光信号（白色光）を周波数分割に基づき多重化し、特定の単色光（所定の光信号）を抽出する。分光／反射処理部１７０は、抽出した単色光を、光強度測定部１２１へ出力する（図３のＳ２０４参照）。つまり、分光／反射処理部１７０は、抽出した単色光を、光強度測定部１２１へフィードバックする（フィードバックされる単色光の振幅は減衰している）。これにより、電子ペン１２０は、４種類の単色光が、どのセンサーに対応する光信号であるかを認識し、又、４種類の単色光の光強度を認識することが可能になる。
【００３１】
分光／反射処理部１７０は、各センサー近傍に設けられ、各センサーと同じ個数設けられる。分光／反射処理部１７０により、蛍光体選択部１２３から入力される光信号（白色光）を周波数分割に基づき多重化することで、光信号を同時に送受信することが可能になる。
【００３２】
なお、蛍光体選択部１２３から入力される白色光の振幅は、蛍光体選択部１２３と分光／反射処理部１７０との間の距離に基づいて減衰する。分光／反射処理部１７０は、減衰した白色光を分光する。このため、分光／反射処理部１７０が出力する単色光は、蛍光体選択部１２３と分光／反射処理部１７０との間の距離に依存する光となる。
【００３３】
本実施の形態に係る座標検出装置１００によれば、電子ボード１１０（盤面）に設けられた４つ以上のセンサーが、所定の光信号を抽出して距離情報等を電子ペン１２０（指示部）へフィードバックする。該距離情報に基づいて、全てのセンサーに応じて光強度が最適化された光を電子ペン１２０が発光するため、座標検出装置１００は、高精度な座標検出を行うことが可能になる。
【００３４】
〈第２の実施の形態〉
本実施の形態では、第１の実施の形態とは異なる構成を有する座標検出装置について説明する。本実施の形態では、時分割に基づき多重化された光信号を用いて座標検出を行う。
【００３５】
図５に、本実施の形態に係る座標検出装置における光信号の波形パタ−ンを示す。光信号の波形パタ−ンは、領域認識用パターンとペン座標検知用パターンとを含む。
【００３６】
図５（Ａ）は、使用領域が、１周期の１／４のみの時間領域となる場合の、領域認識用パターンとペン座標検知用パターンである。領域認識用パターンは、どのセンサーに対応する光信号であるかを判別するために、ピーク数が調整されたパターンである。ペン座標検知用パターンは、光強度調整のために、Ｄｕｔｙ幅が調整されたパターンである。図５（Ａ）に示す１周期の１／４のみの時間領域を使用する波形パターンを、時分割に基づき多重化し、図５（Ｂ）に示す波形パターンとすることにより、各センサーに対応する波形パターンを用いて、座標検出を行うことが可能になる。
【００３７】
例えば、図５（Ｂ）に示す様に、センサー１３０に対応する領域認識用パターンは、ピークを１つ有する波形パターンとなる。又、例えば、図５（Ｂ）に示す様に、センサー１４０に対応する領域認識用パターンは、ピークを２つ有する波形パターンとなる。又、例えば、図５（Ｂ）に示す様に、センサー１５０に対応する領域認識用パターンは、ピークを３つ有する波形パターンとなる。又、例えば、図５（Ｂ）に示す様に、センサー１６０に対応する領域認識用パターンは、ピークを４つ有する波形パターンとなる。
【００３８】
更に、例えば、図５（Ｂ）に示す様に、センサー１３０及びセンサー１６０に対応するＤｕｔｙ幅を調整したパターンは、センサー１４０、センサー１５０に対応するＤｕｔｙ幅を調整したパターンと比較して、Ｄｕｔｙ幅が広くなる。又、例えば、図５（Ｂ）に示す様に、センサー１４０に対応するＤｕｔｙ幅を調整したパターンは、各センサーの中で、最もＤｕｔｙ幅が狭くなる。又、例えば、図５（Ｂ）に示す様に、センサー１５０に対応するＤｕｔｙ幅を調整したパターンは、センサー１４０に対応するＤｕｔｙ幅を調整したパターンと比較して、Ｄｕｔｙ幅が広くなり、センサー１３０及びセンサー１６０に対応するＤｕｔｙ幅を調整したパターンと比較して、Ｄｕｔｙ幅が狭くなる。
【００３９】
次に、図６及び図７を用いて、座標検出装置１００における座標検出の方法の一例について、説明する。図７は、図６に示す座標検出装置１００を用いて座標検出を行う場合のフローチャートの一例である。
【００４０】
なお、図７において、スタート直後は、電子ペンは光学センサーからの距離情報を取得することができないため、デフォルトのＤｕｔｙを選択する。又、処理の途中で、電子ペンのスイッチがオフになると、処理は一旦終了する。処理の途中でのスイッチがオフなる場合については、図が煩雑になるため記載を割愛する。
【００４１】
図６に示す座標検出装置１００において、電子ペン１２０は、光強度測定／Ｄｕｔｙ調整部３２１、多重化処理部３２２を含み、各センサーは、特定波形抽出部３２３を含む。
【００４２】
光強度測定／Ｄｕｔｙ調整部３２１と特定波形抽出部３２３との間で、光信号（分割後）は減衰する。
【００４３】
光強度測定／Ｄｕｔｙ調整部３２１は、電圧変換部、パターン判別部、強度判別部、Ｄｕｔｙ調整部、等により構成される。電圧変換部、パターン判別部、強度判別部、Ｄｕｔｙ調整部は、それぞれ、電子ボード１１０上に設けられるセンサーと、同じ個数設けられる（図６では４個）。電圧変換部としては、例えば、フォトダイオード等を用いることができる。
【００４４】
光強度測定／Ｄｕｔｙ調整部３２１は、特定波形抽出部３２３から抽出された所定の光信号を、電圧変換部にて、電圧変換する。更に、光強度測定／Ｄｕｔｙ調整部３２１は、電圧変換された光信号の領域認識用パターンを、パターン判別部にて、該当する領域認識用パターン（該当するセンサーに対応する所定の光信号における領域認識用パターン）であるか否かを判別する。光強度測定／Ｄｕｔｙ調整部３２１は、領域認識用パターンが、該当するパターンであると判定する場合、強度判別部にて、ペン座標検知用パターンの振幅を測定し、光の強度を判別する。一方、光強度測定／Ｄｕｔｙ調整部３２１は、領域認識用パターンが、該当するパターンではないと判定する場合、強度判別部にて、ペン座標検知用パターンの振幅を測定せず、光の強度を判別しない。
【００４５】
更に、光強度測定／Ｄｕｔｙ調整部３２１は、判別した強度に基づいて、Ｄｕｔｙ調整部にて、ペン座標検知用パターンのＤｕｔｙ幅を最適な幅に調整する。光強度測定／Ｄｕｔｙ調整部３２１は、Ｄｕｔｙ幅が最適な幅に調整された電気信号（Ｄｕｔｙ調整後）を、多重化処理部３２２へ出力する（図７のＳ３０１参照）。
【００４６】
なお、特定波形抽出部３２３と光強度測定／Ｄｕｔｙ調整部３２１との間の距離に基づいて、光の振幅は減衰するため、強度判別部により、光の振幅が減衰する度合い（程度）を判定することが可能である。
【００４７】
多重化処理部３２２は、光強度測定／Ｄｕｔｙ調整部３２１から入力される電気信号（Ｄｕｔｙ調整後）を、時分割に基づいて多重化し、光信号（多重化後）として、特定波形抽出部３２３へ出力する（図７のＳ３０２参照）。つまり、多重化処理部３２２は、全てのセンサーに応じて最適な光強度に調整された電気信号を、多重化し、光信号に変換して出力する。
【００４８】
特定波形抽出部３２３は、パターンスルー／マスク処理部、パターン判別部、等により構成される。パターンスルー／マスク処理部、パターン判別部は、センサーの個数と同じ個数設けられる。
【００４９】
特定波形抽出部３２３は、パターン判別部にて、多重化処理部３２２から入力される光信号（多重化後）が、該当するセンサー領域のパターンであるか否かを判別する。特定波形抽出部３２３は、光信号が、該当するセンサー領域のパターンであると判定する場合、パターンスルー／マスク処理部にて、該光信号を、スルーさせて、出力する（図７のＳ３０３参照）。一方、特定波形抽出部３２３は、光信号が、該当するセンサー領域のパターンではないと判定する場合、パターンスルー／マスク処理部にて、該光信号を、マスクして、出力しない。
【００５０】
多重化処理部３２２と特定波形抽出部３２３との間の距離に基づいて、光の振幅は減衰する。特定波形抽出部３２３は、減衰した光の特定時間領域を、所定の光信号として出力するため、該信号は、多重化処理部３２２と特定波形抽出部３２３との間の距離に依存する光となる。
【００５１】
なお、該当する領域認識用パターンを、先読みし、予め設定することも可能である。該当する領域認識用パターンを読み取った後に、特定波形抽出部３２３にて、光信号をマスクするか、或いは光信号をスルーするかを判定する場合、該領域認識用パターンを、光強度測定／Ｄｕｔｙ調整部３２１へ送信することができない。しかしながら、センサー１３０のパターン、センサー１４０のパターン、センサー１５０のパターン、センサー１６０のパターンの順番で多重化されていることを前提にすれば、該当する領域認識用パターンを、予め設定し、該当する領域認識用パターンを光強度測定／Ｄｕｔｙ調整部３２１へ送信することが可能である。例えば、センサー１６０の領域認識用パターンを認識したら、センサー１３０の領域認識用パターンをスルーさせる、という制御を行えば良い。これにより、座標検出装置の検出精度を高めることが可能である。
【００５２】
〈第３の実施の形態〉
本実施の形態では、第１の実施の形態に係る座標検出装置を用いた座標検出システムについて説明する。図８に、本実施の形態に係る座標検出システムのシステム構成の一例を示す。
【００５３】
座標検出システム５００は、ディスプレイ２００、４つの検出部１１ａ〜１１ｄ（任意の１つ以上検出部を示す場合は、単に検出部１１という）、４つの周辺発光部１５ａ〜１５ｄ（任意の１つ以上検出部を示す場合は、単に周辺発光部１５という）、コンピュータ１００、及び、付加的な要素としてＰＣ（Personal Computer）３００を有している。なお、４つの周辺発光部１５ａ〜１５ｄは本発明の実施形態では必要の無い構成なので、詳細な説明は省略する。
【００５４】
コンピュータ１００にはＰＣが接続されており、コンピュータ１００は、ＰＣ３００が出力した映像をディスプレイ２００に表示することができる。
【００５５】
コンピュータ１００には座標検出システム５００に対応したアプリケーションがインストールされており、アプリケーションは検出部からの信号に基づきユーザが操作した位置を検出する。アプリケーションは位置に基づきジェスチャーを解析し、コンピュータ１００を制御する。なお、アプリケーションは、操作用のメニューをディスプレイ２００に表示することができる。
【００５６】
例えば、ユーザが線を描画するメニューに触れた後、発光部を有する電子ペン等の指示具１３でディスプレイ２００の盤面に図形を描画した場合、コンピュータ１００は指示具１３が有する発光部からの光に基づいて、指示具１３が触れている位置をリアルタイムに解析して、時系列の座標を作成する。コンピュータ１００は時系列の座標を接続して線を作成しディスプレイ２００に表示する。図８ではユーザが三角形の形状に沿って指示具１３を移動させたため、コンピュータ１００は一連の座標を１つのストローク（三角形）として記録する。そして、ＰＣ３００の画像と合成してディスプレイ２００に表示する。
【００５７】
このように、ディスプレイ２００がタッチパネル機能を有していなくても、座標検出システム５００を適用することで、ユーザは指示具１３でディスプレイ２００に触れるだけで様々な操作が可能になる。
【００５８】
〈第４の実施の形態〉
本実施の形態では、第１の実施の形態に係る座標検出装置を用いた座標検出システムに適用されるコンピュータついて説明する。図９に、コンピュータのハードウェア構成の一例を示す。
【００５９】
コンピュータ２１００は、市販の情報処理装置又は座標検出システム用に開発された情報処理装置である。コンピュータ２１００は、アドレスバスやデータバス等のバスライン２１１８を介して電気的に接続されたＣＰＵ２１０１、ＲＯＭ２１０２、ＲＡＭ２１０３、ＳＳＤ２１０４、ネットワークコントローラ２１０５、外部記憶コントローラ２１０６、センサコントローラ２１１４、ＧＰＵ２１１２、及び、キャプチャデバイス２１１１を有している。
【００６０】
ＣＰＵ２１０１はアプリケーションを実行して座標検出システムの動作全体を制御する。ＲＯＭ２１０２にはＩＰＬ等が記憶されており、主に起動時にＣＰＵ２１０１が実行するプログラムが記憶されている。ＲＡＭ２１０３は、ＣＰＵ２１０１がアプリケーションを実行する際のワークエリアとなる。ＳＳＤ２１０４は、座標検出システム用のアプリケーション２１１９や各種データが記憶された不揮発メモリである。ネットワークコントローラ２１０５は、不図示のネットワークを介してサーバなどと通信する際に通信プロトコルに基づく処理を行う。なお、ネットワークは、ＬＡＮ又は複数のＬＡＮが接続されたＷＡＮ（例えばインターネット）などである。
【００６１】
外部記憶コントローラ２１０６は、着脱可能な外部メモリ２１１７に対する書き込み又は外部メモリ２１１７からの読み出しを行う。外部メモリ２１１７は、例えばＵＳＢメモリ、ＳＤカードなどである。キャプチャデバイス２１１１は、ＰＣ２３００が表示装置に表示している映像を取り込む（キャプチャする）。ＧＰＵ２１１２は、ディスプレイの各ピクセルの画素値を演算する描画専用のプロセッサである。ディスプレイコントローラ２１１３は、ＧＰＵ２１１２が作成した画像をディスプレイに出力する。
【００６２】
センサコントローラ２１１４には、４つの検出部２２１１ａ〜２２１１ｄが接続されており、指示具２２１３が有する発光部からの光に基づく三角測量方式による座標の検出を行う。詳しくは後述する。
【００６３】
なお、本実施形態では、コンピュータ２１００は指示具２２１３と通信する必要はないが、通信機能を有していてもよい。この場合、図示するようにコンピュータ２１００は電子ペンコントローラ２１１６を有し、指示具２２１３から押圧信号を受信する（指示具２２１３が通知手段を有している場合）。これにより、コンピュータ２１００は先端が押圧されているか否かを検出することができる。
【００６４】
なお、座標検出システム用のアプリケーションは、外部メモリ２１１７に記憶された状態で流通されてもよいし、ネットワークコントローラ２１０５を介して不図示のサーバからダウンロードされてもよい。アプリケーションは圧縮された状態でも実行形式でもよい。
【００６５】
以上、本発明の好ましい実施形態について詳述したが、本発明は係る特定の実施形態に限定されるものではなく、特許請求の範囲に記載された本発明の実施形態の要旨の範囲内において、種々の変形、変更が可能である。
【符号の説明】
【００６６】
１００                            座標検出装置
１１０                            電子ボード（盤面）
１２０                            電子ペン（指示部）
１２１                            光強度測定部（測定手段）
１２３                            蛍光体選択部（制御手段）
１２４                            蛍光体
１２５                            紫外ＬＥＤ
１３０，１４０，１５０，１６０，  センサー（光信号入力手段）
１７０                            分光／反射処理部（抽出手段）
５００                            座標検出システム
【先行技術文献】
【特許文献】
【００６７】
【特許文献１】特開２００１−２９０６０３号公報
【図１】
2015133061.tif 000003
【図２】
2015133061.tif 000004
【図３】
2015133061.tif 000005
【図４】
2015133061.tif 000006
【図５】
2015133061.tif 000007
【図６】
2015133061.tif 000008
【図７】
2015133061.tif 000009
【図８】
2015133061.tif 000010
【図９】
2015133061.tif 000011